(57)【特許請求の範囲】
【請求項１】
建物の屋根材となる折版の軒先部に沿ってその下面に面状発熱体を重ね、前記折版の波形となった下面形状に沿う折れ線状の取付金物を、前記面状発熱体の下面に重ね、この取付金物を、前記折版の波山部で、この折版を貫通する固着具により前記折版に取付け、前記取付金物は、折版の軒先化粧用の軒先フレームである折版屋根軒先部の凍結防止構造。
【請求項２】
前記取付金物は、面状発熱体の両側縁の下面に各々沿わせて２本平行に設けた請求項１記載の折版屋根軒先部の凍結防止構造。
【発明の詳細な説明】
【０００１】
【発明の属する技術分野】
この発明は、多雪地域等に構築される建物における折版屋根軒先部の凍結防止構造に関する。
【０００２】
【従来の技術】
多雪地域における折版屋根では、すが漏れという雨漏りの防止対策が必要となる。すが漏れは、屋根の溜水が水圧や毛細管現象等によって、屋根裏に雨漏りする現象である。屋根の溜水は、屋根に積もった雪が軒先でつらら状になる場合や、屋根上の融解水により氷堤が生じた場合が、その原因となり易い。
この対策として、屋根面を急勾配とし、あるいは折版屋根の軒部に湾曲した折版を用いることで、屋根上の雪を落ち易くするものがある。しかし、屋根面を急勾配とすると、束材の追加等で必要で、また湾曲した折版を用いるのでは、折版の単価が高くなり、いずれも、低コストを主目的として採用する折半屋根の利点が生かされず、コスト増となる。
このため、折版屋根の軒先に、面状発熱体を設け、軒先の凍結を防止することが考えられている。
【０００３】
【発明が解決しようとする課題】
しかし、面状発熱体を折版の軒先に取付けるにつき、簡易に取付けられる具体的な取付構造がなかった。例えば、屋根の折版の設置が難しくなったり、樋設置後の施工が難しい等の問題がある。
【０００４】
この発明の目的は、効果的な凍結防止が行え、かつ面状発熱体の取付けが簡易に行える折版屋根軒先部の凍結防止構造を提供することである。
【０００５】
【課題を解決するための手段】
この発明の折版屋根軒先部の凍結防止構造は、建物の屋根材となる折版の軒先部に沿ってその下面に面状発熱体を重ね、前記折版の波形となった下面形状に沿う折れ線状の取付金物を、前記面状発熱体の下面に重ね、この取付金物を、前記折版の波山部で、この折版を貫通する固着具により前記折版に取付け、前記取付金物は、折版の軒先化粧用の軒先フレームとする。
この構成によれば、折版に重ねられた面状発熱体の熱により、折版の軒先で凍結することが防止される。面状発熱体は、折版の下面形状に沿う折れ線状の取付金物を重ねて固着具により折版に取付けるため、簡単な施工で取付けることができ、またその取付金具も折れ線状の簡単なもので済む。面状発熱体および取付金具は、折版の下面側から取付けるため、建物が建った後でも施工することができる。
前記取付金物は、折版の軒先化粧用の軒先フレームである。このように、折版の軒先化粧用の軒先フレームを面状発熱体の取付けに兼用することで、面状発熱体の取付けに専用の部材が要らず、コストが低減できる。また、軒先フレームの折版への取付けに伴い、面状発熱体の取付けも同時に行われることになるので、面状発熱体の取付けのための工数増加が少なく、簡単に施工することができる。
【０００６】
前記取付金物は、面状発熱体の両側縁の下面に各々沿わせて２本平行に設けても良い。このように取付金具を２本平行に設けることで、屋根材となる折版の下面に面状発熱体を確実に取付けることができる。また、そのため、面状発熱体から折版への熱伝導が良好になり、凍結防止効果がより向上する。
【０００９】
【発明の実施の形態】
この発明の第１の実施形態を図１ないし図３と共に説明する。図１はこの実施形態に係る折版屋根軒先部の凍結防止構造を示す縦断面図、図２はその凍結防止構造を裏面側から見た斜視図である。この折版屋根軒先部の凍結防止構造では、建物の屋根材となる折版２の軒先部に沿って、帯状の面状発熱体３を下面に重ねている。面状発熱体３には、例えば、ＰＴＣ（Positive Temperature Coefficient）面状発熱体等が用いられる。これは、可撓性のマトリックス樹脂と導電性のカーボンが主成分となるものである。
この面状発熱体３の上下両側縁の下面に、折版２の波形となった下面形状に沿う折れ線状の取付金物４（図３参照）を、図２に示すように２本平行に重ねる。これらの取付金物４を、折版２の波山部２ａで、この折版２を貫通するタッピンビス，ブラインドリベット等の固着具５により、折版２に取付ける。固着具５の折版２の上面から突出した部分にはキャップ（図示せず）を被せておくことが好ましい。なお、面状発熱体３と取付金物４の間には、干渉材（図示せず）を挟み込んでも良い。
【００１０】
取付金物４には、折版２の軒先化粧用の軒先フレームを用いている。取付金物４における折版２の波山部２ａに対応する部分には、固着具５を貫通させる締付片部４ａが、金物幅方向に張り出すように形成されている。
【００１１】
この構成によると、屋根材となる折版２の軒先部の下面に面状発熱体３が重ねられているので、積雪地域においても軒先部における凍結を確実に防止でき、屋根にすがもれ等が生じるのを回避することができる。また、面状発熱体３を取付ける取付金物４は、折版２の下面形状に沿う折れ線状のものであり、軒先の横架材１にビス等の固着具で取付けるため、簡単な構成の取付金物で、面状発熱体３を確実に、かつ施工性良く取付けることができる。
特に、この実施形態のように、折版２の軒先化粧用の軒先フレームを取付金物４として兼用した場合、面状発熱体３の取付けに専用の部材が要らず、コストを低減できる。また、軒先フレームの折版２への取付けに伴い、面状発熱体３の取付けも同時に行われることになるので、面状発熱体３の取付けのための工数増加が少なく、簡単に施工できる。
【００１２】
図４は、第２の実施形態に係る折版屋根軒先部の凍結防止構造を示す縦断面図である。この実施形態では、第１の実施形態において、折版２への取付金物４の取付けを、折版２の波山部２ａに対応する部分（締付片部４ａ）だけでなく、折版２の波谷部２ｂに相当する部分でも行うようにしている。すなわち、この実施形態では、取付金物４の、折版２の波谷部２ｂに対応する部分にも、金物幅方向に張り出す締付片部４ｂが形成されており、これら締付片部４ａ，４ｂで固着具５により取付金物４を折版２に取付けている。その他の構成は前記実施形態と同じである。
【００１３】
この実施形態の場合、折版２の波谷部２ｂにおいても、取付金物４が面状発熱体３に重なった状態で横架材１に締付固定されるので、折版２の下面への面状発熱体３の取付けがより確実になる。
【００１６】
【発明の効果】
この発明の折版屋根軒先部の凍結防止構造は、建物の屋根材となる折版の軒先部に沿ってその下面に面状発熱体を重ね、前記折版の波形となった下面形状に沿う折れ線状の取付金物を、前記面状発熱体の下面に重ね、この取付金物を、前記折版の波山部で、この折版を貫通する固着具により前記折版に取付けたため、凍結防止効果に優れ、施工も容易となる。
取付金物を面状発熱体の両側縁の下面に各々沿わせて２本平行に設けた場合は、折版の下面に面状発熱体を確実に取付けることができる。
前記取付金物が、折版の軒先化粧用の軒先フレームであるため、面状発熱体の取付けに専用の部材が要らず、コストが低減できる。また、軒先フレームの折版への取付けに伴い、面状発熱体の取付けも同時に行われることになるので、面状発熱体の取付けのための工数増加が少なく、より一層簡単に施工することができる。
【図面の簡単な説明】
【図１】この発明の第１の実施形態に係る折版屋根軒先部の凍結防止構造を示す縦断面図である。
【図２】同凍結防止構造を裏面側から見た斜視図である。
【図３】同凍結防止構造に用いる取付金物の斜視図である。
【図４】この発明の第２の実施形態に係る折版屋根軒先部の凍結防止構造を示す縦断面図である。
【図５】同凍結防止構造に用いる取付金物の斜視図である。
【符号の説明】
２…折版、
２ａ…波山部
３…面状発熱体
４…取付金物
５…固着具
１２…帯状折れ版
【図１】
0004275272.tif 000002
【図２】
0004275272.tif 000003
【図３】
0004275272.tif 000004
【図４】
0004275272.tif 000005
【図５】
0004275272.tif 000006